(57)【要約】【課題】自動販売機における商品見本のレイアウトの自由度が高いとともに商品選択の誤りが少なく、しかも商品見本を個別かつ効果的に照明することが可能な商品見本照明装置を提供する。【解決手段】この商品見本照明装置１０は、自動販売機１の前面の主扉３の透明パネル８の任意の位置に取り付けられる。商品見本照明装置１０は、商品見本１１と、商品見本１１が上面に取り付けられた商品見本台１２と、商品見本台１２の前面に取り付けられた選択ボタン１３とを備える。透明パネル８の内側の展示スペース９に商品見本照明装置１０の主要部が配置される。【選択図】      図１
2004272359.tif 000002
【特許請求の範囲】
【請求項１】
商品見本と、
前記商品見本を支持する支持部材と、
前記支持部材に取り付けられ、選択操作によって前記商品見本に対応する商品の選択信号を出力する選択スイッチとを備えたことを特徴とする商品見本照明装置。
【請求項２】
前記支持部材は、自動販売機の展示スペースに取り付けられることを特徴とする請求項１記載の商品見本照明装置。
【請求項３】
前記選択スイッチは、透明パネルの表面側に押ボタンが露出し、前記押ボタンに対する押圧操作によって前記選択信号を出力することを特徴とする請求項２記載の商品見本照明装置。
【請求項４】
前記選択スイッチは、前記透明パネルの裏面側に設けられた非接触型スイッチであることを特徴とする請求項１記載の商品見本照明装置。
【請求項５】
透光性を有する商品見本と、
前記商品見本の内側あるいは背面側から前記商品見本に光を照射するＬＥＤと、
前記商品見本および前記ＬＥＤを支持する支持部材と、
前記支持部材に取り付けられ、選択操作によって前記商品見本に対応する商品の選択信号を出力する選択スイッチとを備えたことを特徴とする商品見本照明装置。
【請求項６】
前記支持部材は、自動販売機の展示スペースに取り付けられることを特徴とする請求項５記載の商品見本照明装置。
【請求項７】
前記透明パネルは、太陽光等の外光を吸収、減衰あるいは偏光させる機能を有することを特徴とする請求項３記載の商品見本照明装置。
【請求項８】
前記ＬＥＤは、太陽電池の出力を充電用の電力とする電源によって駆動されることを特徴とする請求項５記載の商品見本照明装置。
【請求項９】
前記ＬＥＤは、前記商品見本内の底部近傍に配設され、前記商品見本の後部寄りには前記ＬＥＤの後方への発光を前方に反射する反射板が配設されていることを特徴とする請求項５記載の商品見本照明装置。
【請求項１０】
前記ＬＥＤは、前記商品見本内の底部近傍に配設され、前記ＬＥＤの下面以外の全体を覆うようにして前記ＬＥＤからの光を前記商品見本の前面に導くレンズが装着されていることを特徴とする請求項５記載の商品見本照明装置。
【請求項１１】
透光性を有する商品見本と、
光を発光するＬＥＤと、
前記ＬＥＤが発光した前記光を前方に反射、集光して前記商品見本の内側あるいは背面側から前記商品見本を照射するレンズとを備えたことを特徴とする商品見本照明装置。
【請求項１２】
前記レンズは、前記ＬＥＤを覆う樹脂モールドにより形成されていることを特徴とする請求項１１記載の商品見本照明装置。
【請求項１３】
前記レンズは、前記ＬＥＤに装着されていることを特徴とする請求項１１記載の商品見本照明装置。
【請求項１４】
透光性を有する商品見本と、
表面に商品の価格、およびＨＯＴ商品／ＣＯＬＤ商品の種別に関する情報を表示する表示部を有し、前記商品見本を支持する支持部材と、
前記支持部材に取り付けられ、選択スイッチの選択操作によって前記商品見本に対応する商品の選択信号を出力するスイッチ素子と、
前記商品見本の内側あるいは背面側から前記商品見本に光を照射する第１のＬＥＤと、背面側から前記表示部に光を照射して前記情報を視認させる第２のＬＥＤとを搭載した基板とを備えたことを特徴とする商品見本照明装置。
【発明の詳細な説明】
【０００１】
【発明の属する技術分野】
本発明は、自動販売機用の商品見本照明装置に関し、特に、自動販売機における商品見本のレイアウトの自由度が高く、商品選択の誤りが少なく、しかも商品見本を個別かつ効果的に照明することが可能な商品見本照明装置に関する。
【０００２】
【従来の技術】
従来の自動販売機として、略箱型状の販売機本体の前面に、商品の補充、入れ替え等に開閉される主扉を設け、その主扉の上部に透明パネルを設け、この透明パネルの内側の展示スペースに各種の商品見本を上下３段に配列し、透明パネルの前面に商品見本に対応して複数の選択ボタンを配列した商品選択スイッチを設けたものが知られている（例えば、特許文献１参照）。
【０００３】
図１０は、その従来の自動販売機における展示スペース部分を示す。透明パネル８の内側の展示スペース９は、図示しない蛍光灯によって照明されており、展示スペース９には、商品見本１１が横方向に上下３段で配列されており、商品見本１１の対応する位置に選択ボタン１３を配列している。
【０００４】
また、この従来の自動販売機は、展示スペース９を蛍光灯で照明する場合、３０ワット程度の蛍光灯が展示スペース９に４本程度設置されている。消費者が商品を自動販売機で購入する場合、展示スペース９に並べられている商品見本１１を見ながら買いたい商品を選択する。従って、商品見本１１の上面および下面にも蛍光灯が配置され、商品見本１１が均一に照明されるようにしている。ところで、蛍光灯を用いた場合、蛍光灯は、比較的寿命が短く、使用日数の経過に伴って暗くなったり、点滅を生じたりするという問題があるほか、蛍光灯の交換作業も容易ではないという問題がある。
【０００５】
そこで、近年、懐中電灯等に盛んに用いられている白色ＬＥＤを商品見本の照明に用いることが考えられている。ＬＥＤを用いることにより、低消費電力化、省スペース化が図れるという利点がある。このような白色ＬＥＤは、２本のリード端子の一方の先端に発光素子を取り付け、他方のリード端子の先端にワイヤボンディングし、発光素子および２本のリード端子の先端部分を透光性樹脂でモールドした構造を有している（例えば、特許文献２，３，４，５参照）。ＬＥＤの輝度は、高輝度型と称しているものでも蛍光灯の輝度に比べて低く、単独で十分な明るさを得にくい。そこで、上記特許文献２〜５では、様々な工夫を凝らしている。
【０００６】
特許文献２のＬＥＤでは、レンズの部分まで平面が形成されるように樹脂モールドの側面の一部を縦にカットして発光素子からの光を平面の上部で反射させ、光が無駄な方向に出射されないようにしている。
【０００７】
特許文献３のＬＥＤでは、レンズ部の曲面の曲率半径を部分的に異ならせ、所定方向に光が集光されやすくしている。
【０００８】
特許文献４のＬＥＤでは、封止樹脂のレンズ光軸をリードフレームの中心軸に対して傾斜させ、発光素子の最も明るい方向がリードフレームの中心軸に対して角度θをもって照射光が出射されるようにしている。
【０００９】
さらに、特許文献５のＬＥＤでは、通常、樹脂封止部の上部のレンズを通して、２本のリードと平行な方向から光が出射される構造であるのに対し、２本のリードと直角な方向から光が出射される構造にし、基板上に縦に実装した場合でも、光が水平方向から出射できるようにしている。
【００１０】
【特許文献１】
特開２００１−２８３３１０号（図１）
【特許文献２】
特開平５−２７５７５２号（図２）
【特許文献３】
特開平１１−１５４７６６号（図２）
【特許文献４】
特開平５−１２１７８５号（図２、図４）
【特許文献５】
特開平８−１６２６７３号（図１、図２）
【００１１】
【発明が解決しようとする課題】
しかし、従来の自動販売機によると、商品見本が単に横方向に配列されているだけなので、デザイン上面白みに欠け、購入者の注目を集める効果に乏しかった。一方、商品見本を自由にレイアウトすると、選択ボタンとの対応が分り難くなり、商品の選択を誤るおそれがある。さらに、展示スペースの照明に蛍光灯を用いていたため、蛍光灯により、商品見本の配列が制限されること、また、定期的な交換作業が必要となり、メンテナンスに手間がかかっていた。
【００１２】
また、蛍光灯に代えてＬＥＤを用いた場合、一般にＬＥＤの輝度は低いため、蛍光灯と遜色のない十分な明るさを得るためには多数のＬＥＤを用いたり、透光性の樹脂で作られた商品見本の内部にＬＥＤを設置した構成にする必要がある。しかし、特許文献２〜５に示した構造のＬＥＤでは、蛍光灯のように広範囲に光を出射させることは難しい。このため、商品見本の商品名等の一部にしか光が照射されない場合が生じ、暗い場所や夜間では商品名等を視認しにくくなる。
【００１３】
従って、本発明の目的は、自動販売機における商品見本のレイアウトの自由度が高いとともに商品選択の誤りが少なく、しかも商品見本を個別かつ効果的に照明することが可能な商品見本照明装置を提供することにある。
【００１４】
【課題を解決するための手段】
本発明は、上記目的を達成するため、商品見本と、前記商品見本を支持する支持部材と、前記支持部材に取り付けられ、選択操作によって前記商品見本に対応する商品の選択信号を出力する選択スイッチとを備えたことを特徴とする商品見本照明装置を提供する。
この構成によれば、商品見本と選択スイッチが共通の支持部材に取り付けられているので、複数の商品見本を自由にレイアウトしても、選択操作の誤りが起こり難い。選択スイッチから出力された選択信号は、自動販売機の制御部に送られ、選択された商品が自動販売される。
【００１５】
本発明は、上記目的を達成するため、透光性を有する商品見本と、前記商品見本の内側あるいは背面側から前記商品見本に光を照射するＬＥＤと、前記商品見本および前記ＬＥＤを支持する支持部材と、前記支持部材に取り付けられ、選択操作によって前記商品見本に対応する商品の選択信号を出力する選択スイッチとを備えたことを特徴とする商品見本照明装置を提供する。
この構成によれば、商品見本と選択スイッチが共通の支持部材に取り付けられているので、複数の商品見本を自由にレイアウトしても、選択操作の誤りを起こり難くすることができ、さらに、商品見本はＬＥＤにより内側あるいは背面側から照明されているため、商品見本の前面が効果的に照らされ、商品の識別や判読が容易になる。
【００１６】
また、本発明は、上記目的を達成するため、透光性を有する商品見本と、光を発光するＬＥＤと、前記ＬＥＤが発光した前記光を前方に反射、集光して前記商品見本の内側あるいは背面側から前記商品見本を照射するレンズとを備えたことを特徴とする商品見本照明装置を提供する。
この構成によれば、商品見本は、内側あるいは背面側において発光した光を商品見本の前方に反射、集光するため、商品見本の前面側が効果的に照らされ、商品の識別や判読が容易になる。
【００１７】
さらに、本発明は、上記目的を達成するため、透光性を有する商品見本と、表面に商品の価格、およびＨＯＴ商品／ＣＯＬＤ商品の種別に関する情報を表示する表示部を備え、前記商品見本を支持する支持部材と、前記支持部材に取り付けられ、選択スイッチの選択操作によって前記商品見本に対応する商品の選択信号を出力するスイッチ素子と、前記商品見本の内側あるいは背面側から前記商品見本に光を照射する第１のＬＥＤと、背面側から前記表示部に光を照射して前記情報を視認させる第２のＬＥＤとを搭載した基板とを備えたことを特徴とする商品見本照明装置を提供する。
この構成によれば、商品見本と選択スイッチが共通の支持部材に取り付けられているので、複数の商品見本を自由にレイアウトしても、選択操作の誤りが起こり難い。また、商品見本はＬＥＤにより内側あるいは背面側から照明され、かつ、商品の種別に関する情報を表示する表示部にもＬＥＤによる照明がなされるので、商品見本の前面及び表示部が効果的に照らされ、商品及び表示面の識別や判読が容易になる。
【００１８】
【発明の実施の形態】
図１は、本発明の第１の実施の形態に係る商品見本照明装置を適用した自動販売機を示す。この自動販売機１は、例えば、コーヒー、コーラ、ジュース、ウーロン茶等の多種類の飲料（缶、ビン詰め、カップ入り等）を硬貨や紙幣の投入に応じて自動販売するものであり、内部に多数の商品をストックしている。自動販売機１は、略箱型状の販売機本体２を有し、この販売機本体２の前面には正面パネルとなる主扉３が設けられている。この主扉３は、販売機本体２の前面に蝶着されているために開閉でき、商品見本としての商品見本の交換、商品の補充、商品の入れ替え等の時に開閉される。
【００１９】
主扉３には、紙幣および硬貨を投入する料金投入部４、釣銭を返却する釣銭返却口５、商品を取り出すための商品販売口６、および広告などを表示する電照板７がそれぞれ配設されている。また、主扉３には、前面カバーとしての透明パネル８が設けられており、この内側に展示スペース９が確保されている。展示スペース９には、商品見本表示機能および選択スイッチ機能を有する複数の商品見本照明装置１０が所定の位置に設けられている。
【００２０】
図２は、商品見本照明装置１０の詳細を示し、（ａ）は正面図、（ｂ）は（ａ）のＡ−Ａ線断面図を示す。この商品見本照明装置１０は、アクリル等の透光性材料からなり、その表面にラベル１１ａが取り付けられた商品見本１１と、商品見本１１がその上面１２ａに取り付けられた商品見本台（支持部材）１２と、商品見本台１２の前面１２ｂに取り付けられた商品の情報を表示する表示部１４と、透明パネル８の表面に押ボタン１３０が露出する選択ボタン１３とを備える。
【００２１】
商品見本１１は、底部に商品見本１１の内側から光を照射するＬＥＤ１５ｃを搭載した回路回路基板１６と、ＬＥＤ１５ｃの光を透明パネル８側に反射する反射板１７とを備える。
【００２２】
商品見本台１２は、断面倒コ字状を呈し、その上面１２ａには、商品見本１１を載置するための開口１２ｃを備え、前面１２ｂには、選択ボタン１３の押ボタン１３０を取り付けるための取付穴１２ｅと、商品情報を表示する商品情報表示部１４ａおよび商品の温暖を表示する冷温表示部１４ｂと、商品選択のために押下される選択ボタン１３の押ボタン１３０に対する押圧操作によって動作するスイッチ素子１３３とを備える。後面１２ｄは、図示しない取付具により背壁８０に取り付けられるようになっている。
【００２３】
商品情報表示部１４ａは、フィルムに「売切」、「１２０円」および「準備中」の文字を印刷したものであり、商品見本台１２の前面１２ｂに取り付けられ、「売切」、「１２０円」および「準備中」の各文字に対応して回路基板１６に搭載された３つのＬＥＤ１５ａから光が照射され、「売切」、「１２０円」および「準備中」の各文字をそれぞれ表示するようになっている。
【００２４】
冷温表示部１４ｂは、ＨＯＴ商品かＣＯＬＤ商品かに応じて半透明の赤色あるいは青色のフィルムに、ＨＯＴ商品かＣＯＬＤ商品かに応じて「あたたかい」又は「つめたい」の文字を印刷したものであり、商品見本台１２の前面１２ｂに取付けられており、回路基板１６に搭載されたＬＥＤ１５ｂから光が照射され、「あたたかい」または「つめたい」の各文字を表示するようになっている。
【００２５】
選択ボタン１３は、図２（ｂ）に示すように、指などで押下される押ボタン１３０と、押ボタン１３０の押下をスイッチ素子に伝えるアクチュエータ１３１と、透明パネル８に取り付けるとともに、商品見本台１２の前面１２ｂに支持する取付部材１３２とを備える。
【００２６】
取付部材１３２は、図２（ｂ）に示すように、押ボタン１３０とアクチュエータ１３１をボタン収容部１３２ａに収容する。取付部材１３２の脚部１３２ｂは、透明パネル８の挿入穴８ａを貫通し、脚部１３２ｂの先端１３２ｃは、商品見本台１２の前面１２ｂの挿入穴１２ｅに係止する。脚部１３２ｂの先端１３２ｃは、商品見本台１２の前面１２ｂの挿入穴１２ｅに係止したとき、外れないように突起を備えている。また取付部材１３２は、脚部１３２ｂを透明パネル８の挿入穴８ａに挿入したときに、脚部１３２ｂのストッパとしての鍔部１３２ｄと、押ボタン１３０の抜け止めの役目をする鉤部１３２ｅが形成されている。取付部材１３２の脚部１３２ｂを透明パネル８の挿入穴８ａに通し、脚部１３２ｂの先端１３２ｃを商品見本台１２の前面１２ｂの挿入穴１２ｅに挿入・係止することにより、選択ボタン１３は、商品見本台１２の前面１２ｂを支持する。
【００２７】
アクチュエータ１３１は、例えばゴムなどの弾性部材で形成され、操作部１３１ａは、剛性のある材質で形成され、透明パネル８の貫通穴８ｂを貫通し、商品見本台１２の前面１２ｂのスイッチ素子１３３を押ボタン１３０の押下に従って作動できるようになっている。
【００２８】
回路基板１６には、図２（ｂ）に示すように、商品見本、商品情報、例えば、販売可能、準備中、売切、「あたたかい」あるいは「つめたい」等を表示するＬＥＤ１５ａ，１５ｂ，１５ｃと、図示しない電源部から給電するとともに、スイッチ素子１３３の押下信号を図示しない制御部に送出するケーブル１６０と、給電用の電線１６１とを備える。電線１６１は、スイッチ素子１６１を経てＬＥＤ１５ｃに接続する。
【００２９】
次に、この第１の実施の形態の自動販売機１の動作を説明する。図示しない制御部は、在庫状況等に基づいて商品見本照明装置１０のＬＥＤ１５ａ〜１５ｃを点灯あるいは消灯する。すなわち、冷温表示部１４ｂに対応するＬＥＤ１５ｂおよび商品情報表示部１４ａの「１２０円」の文字に対応するＬＥＤ１５ａは、常時点灯する。「売切」および「準備中」の文字に対応するＬＥＤ１５ａは、対応する商品が「売切」および「準備中」となったときに点灯する。なお、商品見本１１内のＬＥＤ１５ｃは、販売可能商品については点灯し、売切れ、準備中の商品については消灯してもよい。「１２０円」の文字に対応するＬＥＤ１５ａは、対応する商品が「売切」および「準備中」となったときに消灯しても良い。
【００３０】
ここで、購入者が料金投入部４に紙幣あるいは硬貨を投入し、購入を希望する商品に対応する選択ボタン１３の押ボタン１３０を押下する。押ボタン１３０の押下によってアクチュエータ１３１が押し下げられ、同時に操作部１３１ａも押し下げられて、操作部１３１ａがスイッチ素子１３３を押圧する。スイッチ素子１３３がスイッチ動作し、選択信号を図示しない制御部に送信する。制御部は、商品排出機構を制御して押下された押ボタン１３０のに対応する商品を商品販売口６に排出する。必要な場合には、釣り銭を釣銭返却口５に返却する。購入者は商品販売口６から商品を取り出す。このようにして商品が自動販売される。
【００３１】
この第１の実施の形態によれば、以下の効果を奏する。
（イ）商品見本照明装置１０を自動販売機１の透明パネル８の任意の位置に配置することができるため、従来、蛍光灯のために制限されていた商品見本照明装置１０の配置を自由に行うことができる。また、商品見本照明装置１０を意外性のある斬新なレイアウトとすることにより、購入者の注目を集めることができ、販売促進を図ることができる。
（ロ）選択ボタン１３と商品見本１１が対応しているため、商品選択の誤りを少なくすることができる。
（ハ）ＬＥＤ１５ｃによって商品見本１１を内部から照明するとともに、背面の反射板１７の反射によって商品見本１１をより明るく照らし出すことができるため、商品見本１１のラベル１１ａを良く認識することができる。
（ニ）商品見本１１の照明用としてＬＥＤ１５ｃを用いているため、寿命が長くなり、交換に伴うメンテナンスの負担を軽減することができ、消費電力の低減を図ることができる。
（ホ）展示スペース９から蛍光灯を無くすことができるため、展示スペース９の有効利用が図ることができる。
（ヘ）冷温表示部１４ｂがＬＥＤ１５ｂによって明るく照らされているため、ＨＯＴ商品とＣＯＬＤ商品の識別が容易となり、商品選択の誤りが少なくなる。商品情報表示部１４ａのうち、販売価格の部分がＬＥＤ１５ａによって明るく照らされるため、投入金額の誤りが少なくなる。
（ト）商品の種類、価格表示用のＬＥＤ１５ａ，１５ｂと商品見本用のＬＥＤ１５ｃを共通の回路基板１６からの給電により点灯しているため、ハーネスの省略化が図ることができる。
【００３２】
なお、第１の実施の形態においては、飲料の自動販売機について説明したが、飲料以外のたばこ、アイスクリーム、カップ麺等の種々の自動販売機にも適用することができる。
また、冷温表示部１４ｂのフィルムは、無色透明あるいは半透明のものを用い、このフィルムに「あたたかい」および「つめたい」の文字を印刷し、ＨＯＴ商品かＣＯＬＤ商品かに応じて「あたたかい」の文字に赤色ＬＥＤから赤色光を照射し、「つめたい」の文字に青色ＬＥＤから青色光を照射してもよい。
さらに、商品見本台は、展示スペースの背壁に限らず、透明パネルに取り付けてもよい。
【００３３】
図３は、本発明の第２の実施の形態に係る選択スイッチを示す。この選択スイッチは、第１の実施の形態において、押圧操作により動作するスイッチ素子１３３を、静電容量の変化によって動作する近接スイッチ１３４とし、押ボタンを不要としたものである。この近接スイッチが取り付けられた商品見本照明装置１０は、図示しない背壁に商品見本台１２をねじなどの締結部材により展示スペース９に取り付ける。使用に当たっては、図３に示すように、商品の購入者が購入したい商品の商品見本台１２の前面１２ｂに指１８を近づけたり、透明パネル８に触れると、近接スイッチ１３４が静電容量の変化を検出してスイッチ動作する。
【００３４】
この第２の実施の形態によれば、選択スイッチとして非接触型の近接スイッチ１３４を用いているので、商品見本の配置の自由度がより高くなる。また、透明パネル８に開口を設ける必要がなくなり、透明パネル８の製造が容易となる。
なお、スイッチ素子として、上記以外に遠赤外線や超音波等を利用した無線スイッチでもよい。
【００３５】
図４は、本発明の第３の実施の形態に係る商品見本照明装置を示す。この商品見本照明装置１０は、第１の実施の形態において、商品見本１１の内部に配置されたＬＥＤ１５ｃの電源として太陽電池を用いたものである。この商品見本照明装置１０は、商品見本１１の上部に配置された太陽電池用基板２０と、太陽電池用基板２０上に搭載された太陽電池２１と、反射板１７の裏面に設けられた制御基板２２と、制御基板２２上に搭載され、太陽電池２１により電線２５を介して充電が行われる蓄電池２３（二次電池）と、蓄電池２３に蓄えられた電力によって回路基板１６上のＬＥＤ１５ｃに電線１６２を介して給電するとともに、ＬＥＤ１５ｃの発光をコントロールする制御ＩＣ２４とを備える。太陽電池２１と蓄電池２３とは、商品見本１１に形成する穴１１ｂを通して配線され、制御基板２２とＬＥＤ１５ｃとは、回路基板１６に形成する穴１６ａを通して配線される。
【００３６】
この第３の実施の形態によれば、ＬＥＤ１５ｃの電源として太陽電池２１を用いているため、省エネルギー化を図ることができる。
【００３７】
なお、太陽電池２１の設置場所は、自動販売機１の表面、例えば、上面であってもよい。受光面積の増大により、供給する電力量の増大が図れる。また、展示スペース９に内部を照明する蛍光灯を配置し、この蛍光灯の光により太陽電池２１に起電力を生じさせ、蓄電池２３を充電するようにしてもよい。また、商品見本に設置した太陽電池２１からの給電先は、他のＬＥＤを含めてもよい。
【００３８】
図５は、本発明の第４の実施の形態に係る商品見本照明装置を適用した自動販売機の斜視図を示す。図５では、図１に示した部分と同一又は同一機能を有するものには同一引用数字を用いている。
【００３９】
図５の自動販売機の構成において、図１の構成と異なる部分を説明すると、展示スペース９には、商品見本台１２が上下３段に配置され、商品見本台１２のそれぞれには、各８個の透光性の樹脂やガラス材で作られるとともに塗装等の施された商品見本１１が等間隔に並べられている。２４個（一例であり、任意数にできる）の商品見本１１は、異なる銘柄の販売商品に対応している。商品見本台１２のそれぞれの下部には、その上方に載置されている商品見本１１のそれぞれに対応させて選択ボタン１３が設置されている。さらに、商品見本台１２の前面には、商品の種類（ＣＯＬＤ、ＨＯＴ等）や価格等を表示した表示部１４が設けられている。
【００４０】
図６は、本発明の第４の実施の形態に係る商品見本照明装置の縦断面図を示す。図６に示すように、商品見本照明装置３０は、第１の実施の形態と同様の商品見本１１、商品見本台１２および選択ボタン１３と、商品見本台１２の下面に取り付けられた回路基板１６と、回路基板１６の中心部に立設された板状の反射板３３と、この反射板３３の中心部に配設されるとともにリードが回路基板１６の配線パターンに接続されたＬＥＤランプ３４とを備えている。ＬＥＤランプ３４の発光色は白色が一般的であるが、ほかに青色、橙色、緑色、赤色、黄色等の中から任意色を選択することができる。
【００４１】
反射板３３は、回路基板１６の上方から貫通穴３２ａに反射板の挿入部３３ａを差し込むだけで取り付けが完了する。反射板３３は、透明パネル８側から見てＬＥＤランプ３４の背面に近接するように配設する。この反射板３３は、ＬＥＤランプ３４から背面方向に発した光を商品見本１１の前面に反射させ、ＬＥＤランプ３４からの直接光と併せて商品見本１１の前面全体が照明されるようになっている。従って、商品見本１１の前面は、ＬＥＤランプ３４からの直接光が及ぶ直接光範囲３５と、反射板３３からの反射光が及ぶ反射光範囲３６とが照射範囲となって照明され、商品見本１１の前面おける輝度を反射板３３を備えない場合に比べ、約２倍程度まで増大させることができる。つまり、反射板３３を設けることによって、１個のＬＥＤランプ３４を用いながらＬＥＤ２個分の明るさが得られるようになる。この結果、コストダウンおよび低消費電力化を図ることができる。なお、商品見本１１の前面を均等に照らすことも、銘柄部分を集中的に照らして目立たせることも任意である。
【００４２】
因みに、反射板３３を設けず、商品見本１１の内面に反射面を形成した場合、商品見本１１に既存のものを用いることはできず、特注になるため、新たな出費が必要になるとともに、商品見本１１の調達に相当の日数を要するという不便さは避けられない。
【００４３】
なお、図６の構成では、反射板３３は反射面を平板状にしたが、反射面が凹面や凸面であってもよい。また、反射面は鏡面であってもよいし、粒状化やシボ等の光拡散処理を施して反射光の輝度を平均化してもよい。さらには、反射面に色付けを行い、反射光が色を持つようにしてもよい。また、反射面は、蒸着、メッキ等任意の方法で反射板３３の表面に金属を付着させるもののほか形成してよい。
【００４４】
この第４の実施の形態によれば、本発明の第１の実施の形態の効果に加え、下記の効果を発揮する。ＬＥＤランプ３４の背部（商品見本１１の後部）に反射板３３を配設し、従来、無駄な方向に照射されていた光を商品見本１１の前面に反射させるようにしたため、商品見本１１の前面における輝度を２倍程度にまで上げることができ、少数のＬＥＤランプ３４で必要十分な輝度を得ることができる。また、図２の構成に比べて反射板を小さくできるため、商品見本１１に対して設置の自由度が高くなり、既存の商品見本の流用しても設置ができなくなる様なケースを少なくできる。以上により、蛍光灯に代えてＬＥＤを用いることが可能になるばかりか、少数のＬＥＤ数（１つの商品見本に１つのＬＥＤ）で済むため、コストダウン、低消費電力化、及び設置自由度の向上等が可能になる。
【００４５】
図７は、本発明の第５の実施の形態に係る商品見本照明装置の発光部を示す。この商品見本照明装置３０の発光部は、基板３２と、レンズ部３７と、ＬＥＤランプ３４とを備える。
【００４６】
基板３２は、後述するように挿入部３７ｃが嵌め込まれる貫通穴３２ａと、ＬＥＤランプ３４の端子３４ａが嵌め込まれる貫通穴３２ｂが形成されている。
【００４７】
ＬＥＤランプ３４は、基板３２から立設され、このＬＥＤランプ３４を内挿するようにして透明な樹脂又は透明ガラスによるレンズ部３７が配設されている。
【００４８】
レンズ部３７は、中心部にＬＥＤランプ３４を収納する孔３７ｄ（実装されたＬＥＤランプ３４が丁度収まる内部形状）が形成され、商品見本１１の後面に対面する所定部分が平坦面にカットされ、このカット面が反射面３７ａになるように、鏡面仕上げ等が施されている。そして、レンズ部３７の胴部のカット部以外は円柱状に加工され、その上部は曲率半径を有するように加工され、レンズ３７ｂを形成している。従って、レンズ部３７の反射面３７ａで反射した光は、レンズ３７ｂによって商品見本１１の前面に向けて集光するように出射する。
【００４９】
レンズ部３７の取り付けは、下端に形成されているピン状の複数の挿入部３７ｃを基板３２の貫通穴３２ａに挿入後、接着剤等を用いて挿入部３７ｃを基板３２に固定する方法で取り付けられる。レンズ部３７が樹脂製であれば、挿入部３７ｃの下端を熱溶融させて押し潰すことにより固定することができる。
【００５０】
ＬＥＤランプ３４（図７では断面図で示している）は、電子機器用等の用途を想定して市販されている構造のものであり、一対のリード端子３４ａの上端に設けられたＬＥＤ３４ｂ、このＬＥＤ３４ｂとリード端子３４ａの上部を覆うように形成された透明樹脂モールド３４ｃを備えて構成されている。
【００５１】
この第５の実施の形態によれば、反射面３７ａが第４の実施の形態（図６）の反射板３３と同等の機能を発揮し、加えてレンズ３７ｂにより出射光に指向性を持たせることができるため、商品見本１１の前面に照射される光量は第４の実施の形態（図６）の光量よりも多くなり、より輝度を上げることが可能になる。さらに、第１の実施の形態（図２）の反射板１７に比べて同様の機能を持つレンズ部３７を小さくできるため、商品見本１１に対して設置の自由度が高くなる。また、白色ＬＥＤの代わりに、青色または紫外とし、ＬＥＤレンズに蛍光剤を添加することにより白色または他の発光色とすることができる。
【００５２】
図８は、本発明の第６の実施の形態に係る商品見本照明装置の発光部を示す。この商品選択スイッチ３０の発光部は、基板３２と、ＬＥＤランプ４０と、ＬＥＤランプ４０を保持するランプ固定台４１とを備える。
【００５３】
発光部は、図７のレンズ部３７をＬＥＤランプ４０の樹脂モールドにした形状としている。すなわち、ＬＥＤランプ４０は、一対のリード端子４０ａの上端に設けられたＬＥＤ４０ｂ、このＬＥＤ４０ｂとリード端子４０ａの上部を覆うように形成された透明樹脂モールド４０ｃを備えている。
【００５４】
透明樹脂モールド４０ｃの胴部は円柱状を成し、その背面（商品見本１１の後面に対面する面）の所定部分はカットして平坦面にされ、このカット面の少なくとも上部に反射面４０ｄが形成されている。反射面４０ｄは、反射率を良くするために鏡面仕上げにするのがよい。さらに、透明樹脂モールド４０ｃの上部には、所定の曲率半径を有するレンズ部４０ｅが形成されている。
【００５５】
ＬＥＤランプ４０は、ランプ固定台４１により保持される。ランプ固定台４１は、透明樹脂モールド４０ｃの下側部分が嵌入する凹部４１ａを有し、その中心部にはリード端子４０ａを挿通するための貫通孔４１ｂが形成されている。ランプ固定台４１の下端にはピン状の複数の挿入部４０ｆが形成されている。この挿入部４０ｆに合致させて基板３２には貫通孔３２ａが形成されており、この貫通孔３２ａに合せて挿入部４０ｆを挿入し、リード端子４０ａを貫通孔３２ａに挿入した後、挿入部４０ｆの露出部分と基板３２の下面との間に接着剤を塗布することにより、ランプ固定台４１は基板３２に固定される。
【００５６】
この第６の実施の形態によれば、透明樹脂モールド４０ｃが図７のレンズ部３７の機能を併せ持つため、商品見本１１の前面に照射される光の輝度を高めることができる。さらに、図７の構成のようにレンズ部３７を別部品で用意する必要がないため、コストダウンおよび小型化を図ることができる。
【００５７】
なお、ＬＥＤランプ４０は、ランプ固定台４１を基板３２に固定した後にランプ固定台４１に取り付ける手順のほか、予めＬＥＤランプ４０をランプ固定台４１に装着しておき、その後にランプ固定台４１を基板３２に装着する手順としてもよい。
【００５８】
図９は、本発明の第７の実施の形態に係る商品見本照明装置の発光部を示す。この商品選択スイッチ３０の発光部は、基板５１と、基板５１上に配されたＬＥＤ５２と、ＬＥＤ５２上を覆うレンズ部５３とを備える。
【００５９】
基板５１は、レンズ部３７の挿入部３７ｃが挿入される貫通穴５１ａが形成され、また、基板５１上には、ＬＥＤ５２が配されている。
【００６０】
レンズ部５３の外形は図７に示したレンズ部３７と同一である。すなわち、レンズ部５３の上部にはレンズ３７ｂが設けられ、背部（商品見本１１の後部側の面）には反射面３７ａが形成されている。レンズ部５３は、図７の構成の発光部とは異なってＬＥＤ５２が小さいため、これに合わせて、レンズ部５３の底部にはＬＥＤ５２の形状に合わせた凹部５３ａが形成されている。
【００６１】
レンズ部３７の取り付けは、下端に形成されているピン状の複数の挿入部３７ｃを基板５１の貫通穴５１ａに挿入後、接着剤等を用いて挿入部３７ｃを基板５１に固定する方法で取り付けられる。レンズ部３７が樹脂製であれば、挿入部３７ｃの下端を熱溶融させて押し潰すことにより固定することができる。
【００６２】
この第７の実施の形態によれば、ＬＥＤ５２の発光位置が低くなるので、図７の構成に比べ、商品見本１１の底部近傍に至るまで光を照射することができる。すなわち、商品見本１１の照射範囲を広げることができる。
【００６３】
本発明は、上記の実施の形態に限定されず、種々の変形実施が可能である。例えば、商品見本照明装置１０，３０は、ランダムに配置できるほか、従来のように整列して配置してもよい。さらに、ＨＯＴ商品とＣＯＬＤ商品を交互に配置してもよい。また、展示スペース９内がＬＥＤのみの発光源しか有しないため、所定の明るさが確保できない場合は、蛍光灯を内蔵してもよい。
【００６４】
また、透明パネルに太陽光等の外光を吸収、減衰あるいは偏光させる機能を持たせ、透明パネルからの外光の反射を抑制して透明パネル内のＬＥＤによる照明の視認性を向上するようにしてもよい。これにより、昼間でも商品見本を浮き立たせることができる。
【００６５】
さらに、図７〜図９の構成においては、レンズ表面にシボ等の光拡散処理を施し、反射光の輝度を平均化してもよい。また、図５、図７〜図９に示したＬＥＤは、１個に限らず必要に応じて複数にすることができる。さらに、ＬＥＤランプ３４，４０の駆動は、第３の実施の形態に示したように、太陽電池及び蓄電池を電源として行うことができる。
【００６６】
【発明の効果】
以上説明した通り、本発明の商品見本照明装置によれば、商品見本と選択スイッチが共通の支持部材に取り付けられているので、複数の商品見本を自由にレイアウトすることができ、斬新なレイアウトとすることにより販売促進を図ることができる。また、商品見本を自由にレイアウトしても、商品の選択を誤ることがない。
【００６７】
また、ＬＥＤにより商品見本の内側あるいは背面側からはＬＥＤにより照明を行うため、商品見本を個別的、かつ、効果的に照らすことが可能になり、商品の識別や判読が容易になる。
【００６８】
さらに、発光部を小型化することができるため、設置の自由度も向上することができ、コストダウン等が可能になる。また、青色ＬＥＤや紫外ＬＥＤを使用し、透過性を有する商品見本に蛍光剤を添加することにより商品見本からの光を、白色、その他の色にすることもできため、自動販売機の利用者の購買意欲を高めることができる。
【図面の簡単な説明】
【図１】本発明の第１の実施の形態に係る商品見本照明装置を適用した自動販売機の斜視図である。
【図２】（ａ）は本発明の第１の実施の形態に係る商品見本照明装置の正面図、（ｂ）は（ａ）のＡ−Ａ線断面図である。
【図３】本発明の第２の実施の形態に係る商品見本照明装置の要部断面図である。
【図４】本発明の第３の実施の形態に係る商品見本照明装置の断面図である。
【図５】本発明の第４の実施の形態に係る商品見本照明装置を適用した自動販売機の斜視図である。
【図６】本発明の第４の実施の形態に係る商品見本照明装置の縦断面図である。
【図７】本発明の第５の実施の形態に係る商品見本照明装置を示す断面図である。
【図８】本発明の第６の実施の形態に係る商品見本照明装置を示す断面図である。
【図９】本発明の第７の実施の形態に係る商品見本照明装置を示す断面図である。
【図１０】従来の自動販売機の展示スペースの要部正面図である。
【符号の説明】
１  自動販売機
２  販売機本体
３  主扉
４  料金投入部
５  釣銭返却口
６  商品販売口
７  電照板
８  透明パネル
８ａ  取付穴
８ｂ  貫通穴
９  展示スペース
１０，３０  商品見本照明装置
１１  商品見本
１１ａ  ラベル
１１ｂ  穴
１２  商品見本台
１２ａ  上面
１２ｂ  前面
１２ｃ  開口
１２ｄ  取付穴
１２ｅ  挿入穴
１３  選択スイッチ
１４  表示部
１４ａ  商品情報表示部
１４ｂ  冷温表示部
１５ａ，１５ｂ，１５ｃ  ＬＥＤ
１６  回路基板
１７，３３  反射板
１８  指
２０  太陽電池用基板
２１  太陽電池
２２  制御基板
２３  蓄電池
２４  制御ＩＣ
２５  電線
３２，５１  基板
３２ａ，３２ｂ，５１ａ  貫通穴
３３ａ  挿入部
３４，４０  ＬＥＤランプ
３４ａ，４０ａ  リード端子
３４ｂ，４０ｂ，５２  ＬＥＤ
３４ｃ，４０ｃ  透明樹脂モールド
３４ｄ
３５  直接光範囲
３６  反射光範囲
３７，４０ｅ，５３  レンズ部
３７ａ，４０ｄ  反射面
３７ｂ，５３  レンズ部
３７ｃ，４０ｆ  挿入部
３７ｄ  孔
４１  ランプ固定台
４１ａ，５３ａ  凹部
１３０  押ボタン
１３１  アクチュエータ
１３１ａ  操作部
１３２  取付部材
１３２ａ  ボタン収容部
１３２ｂ  脚部
１３２ｃ  先端
１３２ｄ  鍔部
１３２ｅ  鉤部
１３３  スイッチ素子
１３４  近接スイッチ
１６０  ケーブル
１６１，１６２  電線
【図１】
2004272359.tif 000003
【図２】
2004272359.tif 000004
【図３】
2004272359.tif 000005
【図４】
2004272359.tif 000006
【図５】
2004272359.tif 000007
【図６】
2004272359.tif 000008
【図７】
2004272359.tif 000009
【図８】
2004272359.tif 000010
【図９】
2004272359.tif 000011
【図１０】
2004272359.tif 000012